(57)【特許請求の範囲】
【請求項１】
送信対象のデータを取得する入力部と、
前記送信対象のデータを伝送するための第１のフレーム信号の生成に用いられる第１の伝送制御情報を取得し、他のデータを伝送するための第２のフレーム信号を生成する他の送信装置に入力される情報と同じ情報であり、前記第１のフレーム信号と前記第２のフレーム信号との統合後の信号に関するパラメータを含む第２の伝送制御情報を取得する取得部と、
前記送信対象のデータの処理を、前記第１の伝送制御情報に含まれるパラメータに従って行うことによって前記送信対象のデータを表すデータシンボルを生成する第１の生成部と、
前記第２の伝送制御情報を表すプリアンブルシンボルを生成する第２の生成部と、
前記データシンボルと前記プリアンブルシンボルとから構成される前記第１のフレーム信号を生成するフレーム生成部と、
前記フレーム生成部により生成された前記第１のフレーム信号を、前記第１のフレーム信号と前記他の送信装置により生成された前記第２のフレーム信号とを統合して前記統合後の信号を出力する信号処理装置に送信する送信部と
を備える送信装置。
【請求項２】
前記第１の伝送制御情報と前記第２の伝送制御情報はDVB-C2のL1情報であり、
前記フレーム生成部は、前記送信対象のデータを表す前記データシンボルと、前記第２の伝送制御情報を表す前記プリアンブルシンボルとから構成されるC2 Frameを生成する
請求項１に記載の送信装置。
【請求項３】
前記フレーム生成部により生成された前記C2 Frameが、周波数軸上において前記他の送信装置により生成された他のC2 Frameに隣接する場合、前記C2 Frameの両端のうちの、前記他のC2 Frameに隣接する一方の端にEdge Pilotを挿入せずに、前記他のC2 Frameに隣接しない他方の端が前記統合後の信号であるC2 Systemの端である場合、前記他方の端にEdge Pilotを挿入する挿入部をさらに備える
請求項２に記載の送信装置。
【請求項４】
前記取得部は、前記第１の伝送制御情報を前記第２の伝送制御情報に基づいて生成する制御装置から出力された前記第１の伝送制御情報を取得し、前記制御装置から出力された前記第２の伝送制御情報を取得する
請求項１乃至３のいずれかに記載の送信装置。
【請求項５】
送信対象のデータを取得し、
前記送信対象のデータを伝送するための第１のフレーム信号の生成に用いられる第１の伝送制御情報を取得し、
他のデータを伝送するための第２のフレーム信号を生成する他の送信装置に入力される情報と同じ情報であり、前記第１のフレーム信号と前記第２のフレーム信号との統合後の信号に関するパラメータを含む第２の伝送制御情報を取得し、
前記送信対象のデータの処理を、前記第１の伝送制御情報に含まれるパラメータに従って行うことによって前記送信対象のデータを表すデータシンボルを生成し、
前記第２の伝送制御情報を表すプリアンブルシンボルを生成し、
前記データシンボルと前記プリアンブルシンボルとから構成される前記第１のフレーム信号を生成し、
生成した前記第１のフレーム信号を、前記第１のフレーム信号と前記他の送信装置により生成された前記第２のフレーム信号とを統合して前記統合後の信号を出力する信号処理装置に出力する
ステップを含む情報処理方法。
【請求項６】
送信対象のデータを取得し、
前記送信対象のデータを伝送するための第１のフレーム信号の生成に用いられる第１の伝送制御情報を取得し、
他のデータを伝送するための第２のフレーム信号を生成する他の送信装置に入力される情報と同じ情報であり、前記第１のフレーム信号と前記第２のフレーム信号との統合後の信号に関するパラメータを含む第２の伝送制御情報を取得し、
前記送信対象のデータの処理を、前記第１の伝送制御情報に含まれるパラメータに従って行うことによって前記送信対象のデータを表すデータシンボルを生成し、
前記第２の伝送制御情報を表すプリアンブルシンボルを生成し、
前記データシンボルと前記プリアンブルシンボルとから構成される前記第１のフレーム信号を生成し、
生成した前記第１のフレーム信号を、前記第１のフレーム信号と前記他の送信装置により生成された前記第２のフレーム信号とを統合して前記統合後の信号を出力する信号処理装置に出力する
ステップを含む処理をコンピュータに実行させるプログラム。
【請求項７】
送信対象のデータを取得する入力部と、
前記送信対象のデータを伝送するための第１のフレーム信号の生成に用いられる第１の伝送制御情報を取得し、他のデータを伝送するための第２のフレーム信号を生成する他の送信装置に入力される情報と同じ情報であり、前記第１のフレーム信号と前記第２のフレーム信号との統合後の信号に関するパラメータを含む第２の伝送制御情報を取得する取得部と、
前記送信対象のデータの処理を、前記第１の伝送制御情報に含まれるパラメータに従って行うことによって前記送信対象のデータを表すデータシンボルを生成する第１の生成部と、
前記第２の伝送制御情報を表すプリアンブルシンボルを生成する第２の生成部と、
前記データシンボルと前記プリアンブルシンボルとから構成される前記第１のフレーム信号を生成するフレーム生成部と、
前記フレーム生成部により生成された前記第１のフレーム信号を信号処理装置に送信する送信部と
を有する送信装置と、
送信対象の前記他のデータを取得する入力部と、
前記他のデータを伝送するための前記第２のフレーム信号の生成に用いられる他の前記第１の伝送制御情報を取得し、前記送信装置に入力される情報と同じ情報である前記第２の伝送制御情報を取得する取得部と、
前記他のデータの処理を、他の前記第１の伝送制御情報に含まれるパラメータに従って行うことによって前記他のデータを表すデータシンボルを生成する第１の生成部と、
前記第２の伝送制御情報を表すプリアンブルシンボルを生成する第２の生成部と、
前記データシンボルと前記プリアンブルシンボルとから構成される前記第２のフレーム信号を生成するフレーム生成部と、
前記フレーム生成部により生成された前記第２のフレーム信号を前記信号処理装置に送信する送信部と
を有する前記他の送信装置と、
前記送信装置から送信された前記第１のフレーム信号と、前記他の送信装置から送信された前記第２のフレーム信号とを統合する統合部と、
前記統合部により生成された前記統合後の信号を出力する出力部と
を有する前記信号処理装置と
を備える送信システム。
【発明の詳細な説明】
【技術分野】
【０００１】
本技術は、送信装置、情報処理方法、プログラム、および送信システムに関し、特に、広帯域の信号を容易に送信することができるようにした送信装置、情報処理方法、プログラム、および送信システムに関する。
【背景技術】
【０００２】
地上波デジタルテレビジョン放送などの従来の放送方式においては、一般的に、図１に示すように、一定の周波数間隔を空けてチャネル（物理チャネル）を規定し、チャネル毎に独立した信号を送るようになっている。図１の例においては周波数間隔が8MHzとされており、チャネル間干渉などの観点から、所定の帯域幅のガードバンドが各チャネルの間に設定される。
【０００３】
各チャネルの間にガードバンドを設定した場合、１チャネルの帯域幅はチャネル間隔以下に制限される。番組データなどを伝送する１チャネル分の送信信号を生成する送信機が出力する信号の帯域幅はチャネル間隔以下となる。例えば日本の地上デジタル放送規格であるISDB-Tの場合、チャネル間隔が6MHzであるため、送信機に必要な帯域幅（送信機に要求される、出力可能な信号の周波数帯域幅）は最大6MHz程度となる。
【先行技術文献】
【特許文献】
【０００４】
【特許文献１】特開２０００−２６１４０３号公報
【特許文献２】特開平１１−６６６３７号公報
【特許文献３】特開２００１−２９８４３７号公報
【発明の概要】
【発明が解決しようとする課題】
【０００５】
ところで、欧州の第2世代のケーブルデジタル放送の規格としてDVB-C2がある。Receiver Tuning Window内にBroadband Notchを含むData Sliceを受信できるようにする為には、DVB-C2では、送信機を8MHz以上の帯域幅の送信信号に対応させる必要がある。
【０００６】
しかし、現状、１つの送信機に8MHz以上の帯域幅の信号を送信させるのは困難である。また、8MHz以上の帯域幅の信号を送信可能な送信機を用意しようとした場合、回路規模が大きく複雑になってしまうことなどもあって非常に高価になると考えられる。
【０００７】
本技術はこのような状況に鑑みてなされたものであり、広帯域の信号を容易に送信することができるようにするものである。
【課題を解決するための手段】
【０００８】
本技術の一側面の送信装置は、送信対象のデータを取得する入力部と、前記送信対象のデータを伝送するための第１のフレーム信号の生成に用いられる第１の伝送制御情報を取得し、他のデータを伝送するための第２のフレーム信号を生成する他の送信装置に入力される情報と同じ情報であり、前記第１のフレーム信号と前記第２のフレーム信号との統合後の信号に関するパラメータを含む第２の伝送制御情報を取得する取得部と、前記送信対象のデータの処理を、前記第１の伝送制御情報に含まれるパラメータに従って行うことによって前記送信対象のデータを表すデータシンボルを生成する第１の生成部と、前記第２の伝送制御情報を表すプリアンブルシンボルを生成する第２の生成部と、前記データシンボルと前記プリアンブルシンボルとから構成される前記第１のフレーム信号を生成するフレーム生成部と、前記フレーム生成部により生成された前記第１のフレーム信号を、前記第１のフレーム信号と前記他の送信装置により生成された前記第２のフレーム信号とを統合して前記統合後の信号を出力する信号処理装置に出力する出力部とを備える。
【００１１】
前記第１の伝送制御情報と前記第２の伝送制御情報はDVB-C2のL1情報であり、前記フレーム生成部には、前記送信対象のデータを表す前記データシンボルと、前記第２の伝送制御情報を表す前記プリアンブルシンボルとから構成されるC2 Frameを生成させることができる。
【００１３】
前記フレーム生成部により生成された前記C2 Frameが、周波数軸上において前記他の送信装置により生成された他のC2 Frameに隣接する場合、前記C2 Frameの両端のうちの、前記他のC2 Frameに隣接する一方の端にEdge Pilotを挿入せずに、前記他のC2 Frameに隣接しない他方の端が前記統合後の信号であるC2 Systemの端である場合、前記他方の端にEdge Pilotを挿入する挿入部をさらに設けることができる。
【００１４】
前記第１の取得部には、前記第１の伝送制御情報を前記第２の伝送制御情報に基づいて生成する制御装置から出力された前記第１の伝送制御情報を取得させ、前記制御装置から出力された前記第２の伝送制御情報を取得させることができる。
【００１８】
本技術においては、送信対象のデータが取得され、前記送信対象のデータを伝送するための第１のフレーム信号の生成に用いられる第１の伝送制御情報と、他のデータを伝送するための第２のフレーム信号を生成する他の送信装置に入力される情報と同じ情報であり、前記第１のフレーム信号と前記第２のフレーム信号との統合後の信号に関するパラメータを含む第２の伝送制御情報が取得される。また、前記送信対象のデータの処理を、前記第１の伝送制御情報に含まれるパラメータに従って行うことによって前記送信対象のデータを表すデータシンボルが生成され、前記第２の伝送制御情報を表すプリアンブルシンボルが生成される。前記データシンボルと前記プリアンブルシンボルとから構成される前記第１のフレーム信号が生成され、生成された前記第１のフレーム信号が、前記第１のフレーム信号と前記他の送信装置により生成された前記第２のフレーム信号とを統合して前記統合後の信号を出力する信号処理装置に出力される。
【発明の効果】
【００１９】
本技術によれば、広帯域の信号を容易に送信することができる。
【図面の簡単な説明】
【００２０】
【図１】チャネルの例を示す図である。
【図２】DVB-C2の信号の例を示す図である。
【図３】Receiver Tuning Windowの設定の例を示す図である。
【図４】送信データの処理の概念を示す図である。
【図５】C2 Frameの構成を示す図である。
【図６】C2 Frameのキャリア配置を示す図である。
【図７】Edge Pilotの状態を示す図である。
【図８】L1情報に含まれるパラメータを示す図である。
【図９】送信システムの構成例を示すブロック図である。
【図１０】信号の統合の概念を示す図である。
【図１１】送信装置の構成例を示す図である。
【図１２】Edge Pilotの挿入の例を示す図である。
【図１３】Edge Pilotの挿入の他の例を示す図である。
【図１４】送信装置の処理について説明するフローチャートである。
【図１５】信号処理装置の処理について説明するフローチャートである。
【図１６】統合後のC2 Systemの例を示す図である。
【図１７】L1情報の具体例を示す図である。
【図１８】送信システムの他の構成例を示すブロック図である。
【図１９】送信システムのさらに他の構成例を示すブロック図である。
【図２０】図１９の送信装置の構成例を示す図である。
【図２１】コンピュータの構成例を示すブロック図である。
【発明を実施するための形態】
【００２１】
＜DVB-C2＞
はじめに、DVB-C2について説明する。
【００２２】
図２は、DVB-C2の信号の例を示す図である。図２の横軸は周波数を表す。DVB-C2の１つの信号はC2 Systemと呼ばれ、Preamble SymbolとData Symbolから構成される。規格上、１つのC2 Systemは最大3.5GHz程度の帯域幅を有する信号となる。
【００２３】
Preamble Symbolは、伝送制御情報であるL1情報（L1 signalling part 2 data）の伝送に用いられるシンボルである。L1情報の詳細については後述する。Preamble Symbolを用いて、3408キャリア周期（OFDM(Orthogonal Frequency Division Multiplex)の3408のサブキャリア周期）で同じ情報が繰り返し送信される。3408キャリアは7.61MHzの周波数帯域に相当する。
【００２４】
Data Symbolは番組データなどのTS(Transport Stream)等の伝送に用いられるシンボルである。Data SymbolはData Sliceと呼ばれるブロックに分割される。例えばData Slice １（DS1）とData Slice ２（DS2）とではそれぞれ異なる番組のデータが伝送される。Data Sliceの数などの、各Data Sliceに関するパラメータがL1情報に含まれる。
【００２５】
図２において黒で塗りつぶして示すように、C2 SystemにはNotchを含めることが可能とされる。Notchは、FM放送、警察用の無線放送、軍事用の無線放送などに用いられる周波数帯域であり、C2 Systemの送信には用いられない。送信機が出力する送信信号のうちのNotchの区間は無信号の区間になる。Notchには、帯域幅が48キャリア未満のNarrowband Notchと、47キャリアを超える（47キャリアを含まず）Broadband Notchとがある。Notchの数や帯域幅などの、各Notchに関するパラメータもL1情報に含まれる。
【００２６】
このように、DVB-C2においては、各チャネルの間にガードバンドを設ける必要がなく、また、Notchに挟まれた比較的狭い帯域をもデータの伝送に使うことができるため、周波数帯域の有効利用が可能になっている。受信機は、図３に示すような7.61MHzの帯域幅のReceiver Tuning Windowを設定してその範囲内の信号を受信し、L1情報を復号した後、復号したL1情報に基づいて番組データを復号する。
【００２７】
図４は、送信機において行われる送信データの処理の概念を示す図である。
【００２８】
番組データなどの送信データの符号化はPLP(Physical Layer Pipe)単位で行われる。図４の例においては、送信機に入力されたPLPのデータ毎に、BCH符号化、LDPC符号化、IQ平面上のシンボルへのマッピングがその順に行われている。各処理によって得られた３つのPLPのシンボル全体に対して時間インタリーブが施され、続けて周波数インタリーブが施されることによって、１つのData Sliceが生成される。このように、送信機は、データの符号化処理をPLP単位で行い、インタリーブをData Slice単位で行う。
【００２９】
このようにして生成された複数のData SliceからData Symbolが構成され、Preamble Symbolとともに送信される。Preamble Symbolは、L1情報に対して符号化処理などを施すことによって生成される。
【００３０】
図５は、C2 Frameの構成を示す図である。C2 Frameは、少なくとも１つのPreamble Symbolと、複数のData Symbolとから構成される。図５の横軸は周波数を表し、縦軸は時間（シンボル）を表す。
【００３１】
Preamble Symbolは、時間方向に見たときに１〜８シンボルの間、3408キャリア周期で繰り返し送信される。図５において同じ数字を付して示すPreamble Symbolのブロックは同じL1情報の送信に用いられているPreamble Symbolを表す。
【００３２】
また、Preamble Symbolに続けて、448シンボルの間、Data Symbolが送信される。図５の例においては、Data Slice ０乃至３のデータがそれぞれ448のData Symbolを用いて送信されている。
【００３３】
図６は、C2 Frameのキャリア配置を示す図である。白抜きの丸印がPreamble SymbolまたはData Symbolシンボルを表し、色や柄を付して示す丸印がPilot信号を表す。
【００３４】
図６に示すように、Preamble Symbolには6キャリア周期でPreamble Pilotが挿入される。また、Data Symbolには、周期的にScattered Pilotが挿入され、定常的にContinual Pilotが挿入される。Data Symbolの両端にはEdge Pilotが挿入される。
【００３５】
例えば、図２の構成を有するC2 Systemには、Data Slice ０のData Symbolの左端と、Data Slice ５のData Symbolの右端にEdge Pilotが挿入される。また、Data Slice ６のData Symbolの左端、Data Slice ７のData Symbolの右端、および、Data Slice ８のData Symbolの両端にも、それぞれEdge Pilotが挿入される。すなわち、C2 System全体で見た場合、Edge Pilotは、C2 Systemの両端（周波数が最も低いシンボルの位置と最も高いシンボルの位置）と、Notchを挟む位置に挿入される。
【００３６】
従って、Pilot信号としてPreamble Symbol中のPreamble PilotとData Symbol中のEdge Pilotを示した場合、C2 SystemにNotchが含まれないときには、Edge Pilotの状態は、図７Ａに示すようにC2 Systemの両端に挿入された状態になる。また、C2 SystemにNotchが含まれるときには、Edge Pilotの状態は、C2 Systemの両端と、図７Ｂに示すようにNotchに隣接する両端に挿入された状態になる。
【００３７】
図８は、L1情報に含まれるパラメータを示す図である。主なパラメータについて説明する。
【００３８】
３行目のSTART_FREQUENCYは、C2 Systemの開始位置となる周波数を表す。開始位置は0Hzを起点して絶対周波数により表される。４行目のC2_BANDWIDTHは、C2 Systemの帯域幅を表す。
【００３９】
５行目のGUARD_INTERVALは、各シンボルに含まれるガードインターバルのサイズを表す。６行目のC2_FRAME_LENGTHは、C2 Frameに含まれるData Symbolの数を表す。図６の例の場合、C2_FRAME_LENGTHには448を表す値が設定される。
【００４０】
８行目のNUM_DSLICEは、C2 Frameに含まれるData Sliceの数を表す。９行目のNUM_NOTCHは、C2 Frameに含まれるNotchの数を表す。１０行目から４５行目までの各パラメータがData Slice毎に記述される。
【００４１】
１１行目のDSLICE_IDは、C2 SystemにおけるData SliceのIDを表す。１２行目のDSLICE_TUNE_POSは、START_FREQUENCYにより表される周波数を基準として、Data Sliceを受信するためのチューニングポイントとなる位置（中心周波数）を表す。１５行目のDSLICE_TI_DEPTHは、時間インタリーブのDepthを表す。
【００４２】
２１行目のDSLICE_LEFT_NOTCHは、Data Sliceの左側にNotchがあるか否かを表す。２２行目のDSLICE_NUM_PLPは、Data Sliceに含まれるPLPの数を表す。２３行目から４３行目までの各パラメータがPLP毎に記述される。
【００４３】
４６行目から５０行目までの各パラメータがNotch毎に記述される。４７行目のNOTCH_STARTは、START_FREQUENCYにより表される周波数を基準としてNotchの位置を表す。４８行目のNOTCH_WIDTHは、Notchの帯域幅を表す。
【００４４】
DVB-C2の詳細については「Digital Video Broadcasting (DVB);  Frame structure channel coding and modulation for a second generation  digital transmission system for cable systems (DVB-C2)」（DVB Document A138）に記載されている。
【００４５】
［第１の実施の形態］
＜送信システムの構成＞
図９は、本技術の一実施形態に係る送信システムの構成例を示すブロック図である。
【００４６】
図９の送信システムは、送信装置１Ａ乃至１Ｃ、および信号処理装置２から構成される。送信装置１Ａ乃至１Ｃは、8MHzなどの所定の帯域幅を有するC2 Frameの信号を生成して出力する装置であり、それぞれ同じ構成を有する。
【００４７】
送信装置１Ａ乃至１Ｃには、それぞれ、番組データなどの送信対象となるデータが入力されるとともに、C2 Frameの信号の生成に用いられるL1情報が入力される。
【００４８】
送信装置１Ａには、送信装置１Ａに割り当てられたデータを伝送するためのC2 Frameの信号の生成に用いられる信号生成用のL1情報が入力される。また、送信装置１Ｂには、送信装置１Ｂに割り当てられたデータを伝送するためのC2 Frameの信号の生成に用いられる信号生成用のL1情報が入力される。送信装置１Ｃには、送信装置１Ｃに割り当てられたデータを伝送するためのC2 Frameの信号の生成に用いられる信号生成用のL1情報が入力される。
【００４９】
送信装置１Ａ乃至１Ｃに入力される信号生成用のL1情報は、それぞれの装置が送信するデータやそれぞれの装置がデータの送信に用いる周波数帯域などに応じて、少なくとも一部のパラメータの値が異なる情報である。
【００５０】
また、送信装置１Ａ乃至１Ｃには、信号生成用のL1情報とは別に、送信対象のデータとともにC2 Frameの信号によって送信するための送信用のL1情報が入力される。送信装置１Ａに入力された送信用のL1情報と、送信装置１Ｂに入力された送信用のL1情報と、送信装置１Ｃに入力された送信用のL1情報は、同じ情報である。
【００５１】
送信装置１Ａは、送信対象として入力されたデータに対して信号生成用のL1情報に基づいて処理を施し、送信対象のデータを表すData Symbolを生成する。また、送信装置１Ａは、入力された送信用のL1情報を表すPreamble Symbolを生成する。送信装置１Ａは、生成した送信対象のデータを表すData Symbolと送信用のL1情報を表すPreamble Symbolとを合わせてC2 Frameを生成し、C2 Frameの信号を信号処理装置２に出力する。
【００５２】
同様に、送信装置１Ｂは、送信対象として入力されたデータに対して信号生成用のL1情報に基づいて処理を施し、送信対象のデータを表すData Symbolを生成する。また、送信装置１Ｂは、入力された送信用のL1情報を表すPreamble Symbolを生成する。送信装置１Ｂは、生成した送信対象のデータを表すData Symbolと送信用のL1情報を表すPreamble Symbolとを合わせてC2 Frameを生成し、C2 Frameの信号を信号処理装置２に出力する。
【００５３】
送信装置１Ｃは、送信対象として入力されたデータに対して信号生成用のL1情報に基づいて処理を施し、送信対象のデータを表すData Symbolを生成する。また、送信装置１Ｃは、入力された送信用のL1情報を表すPreamble Symbolを生成する。送信装置１Ｃは、生成した送信対象のデータを表すData Symbolと送信用のL1情報を表すPreamble Symbolとを合わせてC2 Frameを生成し、C2 Frameの信号を信号処理装置２に出力する。
【００５４】
信号処理装置２は、送信装置１Ａ乃至１Ｃから供給されたC2 Frameの信号を周波数を基準として並べることによって１つのC2 Systemの信号に統合し、出力する。信号処理装置２から出力された信号は、ケーブル回線を介して受信側の装置に送信される。
【００５５】
図１０は、信号の統合の概念を示す図である。
【００５６】
図１０の左側に示す周波数f0〜f1の帯域の信号Ｓ１は、送信装置１Ａにより生成されたC2 Frameの信号である。信号Ｓ１はData Slice １〜４のData Symbolと送信用のL1情報を表すPreamble Symbol（L1 block）から構成される。例えば周波数f0〜f1の帯域幅は7.61MHzである。
【００５７】
このような狭帯域の信号が送信装置１Ｂと送信装置１Ｃにおいても生成され、白抜き矢印の先に示すように信号処理装置２により統合される。
【００５８】
図１０の例においては、周波数f2〜f3の帯域の信号Ｓ２は、送信装置１Ｂにより生成されたC2 Frameの信号である。信号Ｓ２はData Slice １１〜１４のData Symbolと送信用のL1情報を表すPreamble Symbolから構成される。周波数f2〜f3の帯域幅も7.61MHzである。
【００５９】
周波数f4〜f6の帯域の信号Ｓ３は、送信装置１Ｃにより生成されたC2 Frameの信号である。周波数f4〜f6のうちの周波数f4〜f5の帯域にはNotchが含まれている。信号Ｓ３はData Slice ２１のData Symbolと送信用のL1情報を表すPreamble Symbolから構成される。周波数f4〜f6の帯域幅も7.61MHzである。
【００６０】
信号処理装置２は、信号Ｓ１〜Ｓ３を周波数を基準として並べることによって、１つの広帯域のC2 Systemの信号を生成する。信号処理装置２により生成された統合後のC2 Systemの信号は、１つの送信装置が単独で出力可能な7.61MHz以上の帯域幅を有する信号になる。
【００６１】
信号Ｓ１の終端の周波数である周波数f1と、信号Ｓ２の先端の周波数である周波数f2の間の帯域にはNotch＃１が形成される。また、信号Ｓ２の終端の周波数である周波数f3と、信号Ｓ３のうちのData Slice ２１の先端の周波数である周波数f5の間の帯域にはNotch＃２が形成される。
【００６２】
信号Ｓ１乃至Ｓ３のそれぞれに共通して含まれる送信用のL1情報には、Data Slice １〜４，１１〜１４，２１のそれぞれのData Sliceに関するパラメータと、Notch＃１，＃２に関するパラメータが含まれる。すなわち、統合後のC2 System全体に関するパラメータが、送信用のL1情報として送信装置１Ａ乃至１Ｃにそれぞれ入力されることになる。
【００６３】
これにより、１つの送信装置によって対応可能な帯域幅を超える広帯域の信号を容易に生成することが可能になる。また、広帯域の信号を生成可能な１つの送信装置を用意する場合に較べて、コストを抑えることが可能になる。上述したように、広帯域の信号を生成可能な１つの送信装置を用意するとした場合、回路規模が大きく複雑になってしまうことなどからコストが高くなってしまうが、そのようなことを防ぐことができる。
【００６４】
さらに、統合後の信号に含まれるL1情報は統合後のC2 System全体に関するパラメータを含む情報であるから、受信側の装置は、所定の区間に含まれるL1情報を復号することによって、統合後の信号に含まれる所定のデータを取得することが可能になる。
【００６５】
後述するように、送信装置１Ａ乃至１ＣにおいてはIFFT(Inverse Fast Fourier Transform）等の信号処理が行われる。広帯域の信号を１つの送信装置において生成するとした場合、帯域内にBroadband Notchが含まれ、その幅が大きいときには無信号区間を含めて信号処理を行うことになり無駄が多くなってしまうが、そのようなことを防ぐこともできる。
【００６６】
＜送信装置の構成＞
図１１は、送信装置１Ａの構成例を示す図である。図１１に示す信号処理部１１が、送信装置１Ｂと送信装置１Ｃにも設けられる。
【００６７】
送信対象のデータであるそれぞれのData Sliceを構成するPLPのデータがData Slice生成部２１−１乃至２１−ｎに入力される。Data Slice １を構成するPLPのデータはData Slice生成部２１−１に入力され、Data Slice ｎを構成するPLPのデータはData Slice生成部２１−ｎに入力される。例えば、信号生成用のL1情報に含まれるNUM_DSLICE（図８の８行目）によってｎの値が制御される。
【００６８】
また、入力端子３１Ａに入力された信号生成用のL1情報と、入力端子３１Ｂに入力された送信用のL1情報がL1情報選択部３２に入力される。例えば、入力端子３１Ａと入力端子３１Ｂにはケーブルを介してコンピュータが接続される。図９の送信システムの管理者がコンピュータを操作することによって入力した信号生成用のL1情報と送信用のL1情報が、コンピュータから信号処理部１１の入力端子３１Ａと入力端子３１Ｂに供給される。以下、適宜、信号生成用のL1情報を単に信号生成用L1情報といい、送信用のL1情報を単に送信用L1情報という。
【００６９】
送信装置１Ａの筐体の所定の位置には、複数の送信装置の出力を合わせて広帯域の信号を生成するモードである広帯域送信モードのオン／オフを切り替えるときに操作されるスイッチが設けられる。送信システムの管理者がスイッチを操作したとき、広帯域送信モードのオン／オフを表す信号がL1情報選択部３２、左端EP付加選択部３９、および右端EP付加選択部４０に供給される。
【００７０】
Data Slice生成部２１−１は、L1情報選択部３２から供給された信号生成用L1情報に含まれるパラメータに従って処理を行い、Data Slice １を生成する。Data Slice生成部２１−１は、Data Slice １のデータをインタリーブ部２２−１に出力する。
【００７１】
Data Slice生成部２１−１は、入力部５１−１乃至５１−ｍ、誤り訂正符号化部５２−１乃至５２−ｍ、マッピング部５３−１乃至５３−ｍ、およびData Sliceビルダ部５４から構成される。例えば、信号生成用L1情報に含まれるData Slice １についてのDSLICE_NUM_PLP（図８の２２行目）によってｍの値が制御される。入力部５１−１、誤り訂正符号化部５２−１、マッピング部５３−１について説明するが、入力部５１−ｍ、誤り訂正符号化部５２−ｍ、マッピング部５３−ｍにおいても同様の処理が行われる。
【００７２】
入力部５１−１は、番組データなどの、送信装置１Ａに割り当てられた送信対象のデータのうちの１つのPLPのデータを取得し、誤り訂正符号化部５２−１に出力する。
【００７３】
誤り訂正符号化部５２−１は、図４を参照して説明したようにしてデータの誤り訂正符号化を行う。誤り訂正符号化部５２−１は、BCH符号化とLDPC符号化を行うことによって得られた符号化データに対してビットインタリーブなどの処理を施し、マッピング部５３−１に出力する。
【００７４】
マッピング部５３−１は、誤り訂正符号化部５２−１から供給された符号化データをIQ平面上のシンボルとしてマッピングし、Data Sliceビルダ部５４に出力する。
【００７５】
Data Sliceビルダ部５４は、マッピング部５３−１から供給された各シンボルのデータを図６を参照して説明したようにして配置し、Data Slice １を生成する。例えば、Data Slice １の周波数などが、L1情報選択部３２により選択された信号生成用L1情報に含まれるパラメータに基づいて特定され、Data Slice １が生成される。Data Sliceビルダ部５４は、Data Slice １のデータをインタリーブ部２２−１に出力する。
【００７６】
インタリーブ部２２−１は、Data Slice生成部２１−１から供給されたData Slice １のData Symbolに対して、時間インタリーブと周波数インタリーブを施す。例えば、インタリーブ部２２−１は、時間インタリーブを行うとき、L1情報選択部３２により選択された信号生成用L1情報に含まれるData Slice １のDSLICE_TI_DEPTH（図８の１５行目）により表されるDepthに従って処理を行う。
【００７７】
また、インタリーブ部２２−１は、Data Slice １にEdge Pilotを挿入する場合、Edge Pilotを避け、Data Symbolを対象としてインタリーブを行う。左端EP付加選択部３９からは、送信装置１Ａが出力するData Symbolの左端にEdge Pilotを挿入するか否かを表す情報が供給される。また、右端EP付加選択部４０からは、送信装置１Ａが出力するData Symbolの右端にEdge Pilotを挿入するか否かを表す情報が供給される。
【００７８】
インタリーブ部２２−１は、時間インタリーブと周波数インタリーブを施して得られたData Slice １のデータをFrameビルダ部３８に出力する。
【００７９】
Data Slice生成部２１−ｎは、入力部５１−１乃至５１−ｍ’、誤り訂正符号化部５２−１乃至５２−ｍ’、マッピング部５３−１乃至５３−ｍ’、およびData Sliceビルダ部５４から構成される。例えば、信号生成用L1情報に含まれるData Slice ｎについてのDSLICE_NUM_PLPによってｍ’の値が制御される。Data Slice生成部２１−ｎは、Data Slice生成部２１−１と同様に、入力されたデータに対して符号化処理、マッピング処理などを施すことによってData Slice ｎを生成し、インタリーブ部２２−ｎに出力する。
【００８０】
インタリーブ部２２−ｎは、インタリーブ部２２−１と同様に、Data Slice生成部２１−ｎから供給されたData Slice ｎのData Symbolに対して、時間インタリーブと周波数インタリーブを施す。インタリーブ部２２−ｎは、時間インタリーブを行うとき、L1情報選択部３２により選択された信号生成用L1情報に含まれるData Slice ｎのDSLICE_TI_DEPTHにより表されるDepthに従って処理を行う。また、インタリーブ部２２−ｎは、Data Slice ｎの右端にEdge Pilotを挿入する場合、Edge Pilotを避け、Data Symbolを対象としてインタリーブを行う。
【００８１】
インタリーブ部２２−ｎは、時間インタリーブと周波数インタリーブを施して得られたData Slice ｎのデータをFrameビルダ部３８に出力する。
【００８２】
L1情報選択部３２は、広帯域送信モードがオンである場合、入力端子３１Ａに入力された信号生成用L1情報を取得し、Data Slice生成部２１−１乃至２１−ｎ、インタリーブ部２２−１乃至２２−ｎに出力する。L1情報選択部３２から出力された信号生成用L1情報は上述したようにして各Data Sliceの生成に用いられる。また、L1情報選択部３２は、広帯域送信モードがオンである場合、入力端子３１Ｂに入力された送信用L1情報を取得し、誤り訂正符号化部３３に出力する。L1情報選択部３２は、信号生成用L1情報を取得する取得部と、送信用L1情報を取得する取得部としての機能を有する。
【００８３】
なお、広帯域送信モードがオフである場合、L1情報選択部３２は、信号生成用L1情報をData Slice生成部２１−１乃至２１−ｎ、インタリーブ部２２−１乃至２２−ｎに出力するとともに誤り訂正符号化部３３にも出力する。
【００８４】
誤り訂正符号化部３３は、L1情報選択部３２から供給された送信用L1情報の符号化を行う。誤り訂正符号化部３３は、BCH符号化とLDPC符号化を行うことによって得られた符号化データに対してビットインタリーブなどの処理を施し、マッピング部３４に出力する。
【００８５】
マッピング部３４は、誤り訂正符号化部３３から供給された送信用L1情報の符号化データをIQ平面上のシンボルとしてマッピングし、時間インタリーブ部３５に出力する。
【００８６】
時間インタリーブ部３５は、マッピング部３４から供給された送信用L1情報を表すシンボルに対して時間インタリーブを施し、L1ブロックビルダ部３６に出力する。
【００８７】
L1ブロックビルダ部３６は、時間インタリーブ部３５から供給された送信用L1情報を表す各シンボルを図６を参照して説明したようにして配置し、Preamble SymbolからなるL1 blockを生成する。L1ブロックビルダ部３６は、L1 blockのデータを周波数インタリーブ部３７に出力する。
【００８８】
周波数インタリーブ部３７は、L1ブロックビルダ部３６から供給されたL1 blockを構成するPreamble Symbolに対して周波数インタリーブを施し、Frameビルダ部３８に出力する。
【００８９】
Frameビルダ部３８は、インタリーブ部２２−１から供給されたData Slice １のデータと、インタリーブ部２２−ｎから供給されたData Slice ｎのデータに基づいてData Symbolを生成する。また、Frameビルダ部３８は、Data Slice １〜ｎのData Symbolに周波数インタリーブ部３７から供給された送信用L1情報を表すPreamble Symbolを付加し、C2 Frameを生成する。Frameビルダ部３８は、生成したC2 FrameのデータをIFFT・GI／パイロット挿入部４１に出力する。
【００９０】
左端EP付加選択部３９は、送信装置１Ａが出力するData Symbolの左端にEdge Pilotを挿入するか否かを選択し、挿入するか否かを表す情報を出力する。左端EP付加選択部３９が出力する情報は、例えば送信装置１Ａに設けられるスイッチに対する管理者の操作に応じて切り替えられる。
【００９１】
右端EP付加選択部４０は、送信装置１Ａが出力するData Symbolの右端にEdge Pilotを挿入するか否かを選択し、挿入するか否かを表す情報を出力する。右端EP付加選択部４０が出力する情報も、例えば送信装置１Ａに設けられるスイッチに対する管理者の操作に応じて切り替えられる。左端EP付加選択部３９と右端EP付加選択部４０から出力された情報は、インタリーブ部２２−１乃至２２−ｎとIFFT・GI／パイロット挿入部４１に供給される。
【００９２】
IFFT・GI／パイロット挿入部４１は、Frameビルダ部３８から供給されたC2 Frameに対してIFFTを施し、ガードインターバル（GI）を挿入する。
【００９３】
また、IFFT・GI／パイロット挿入部４１は、Frameビルダ部３８から供給されたC2 Frameに対してPilot信号を挿入する。すなわち、IFFT・GI／パイロット挿入部４１は、図６を参照して説明したようにして、Preamble Symbolに6キャリア周期でPreamble Pilotを挿入し、Data SymbolにScattered PilotとContinual Pilotを挿入する。IFFT・GI／パイロット挿入部４１は、左端EP付加選択部３９と右端EP付加選択部４０から供給された情報を参照して、適宜、C2 Frameを構成するData Symbolの端にEdge Pilotを挿入する。
【００９４】
例えば、左端EP付加選択部３９から供給された情報により、Data Symbolの左端にEdge Pilotを挿入することが表されている場合、IFFT・GI／パイロット挿入部４１は、Data Symbolの左端（Data Slice １の左端）にEdge Pilotを挿入する。一方、Data Symbolの左端にEdge Pilotを挿入しないことが表されている場合、IFFT・GI／パイロット挿入部４１は、Data Symbolの左端にEdge Pilotを挿入しない。
【００９５】
また、右端EP付加選択部４０から供給された情報により、Data Symbolの右端にEdge Pilotを挿入することが表されている場合、IFFT・GI／パイロット挿入部４１は、Data Symbolの右端（Data Slice ｎの右端）にEdge Pilotを挿入する。一方、Data Symbolの右端にEdge Pilotを挿入しないことが表されている場合、IFFT・GI／パイロット挿入部４１は、Data Symbolの右端にEdge Pilotを挿入しない。
【００９６】
このように、送信装置１Ａが出力するData Symbolの端にEdge Pilotを挿入するか否かを選択することができるようにすることにより、異なる送信装置により生成されたData Symbolを周波数軸上で連続した位置に配置することが可能になる。
【００９７】
図１２は、送信装置１Ａにより生成されたC2 Frameと送信装置１Ｂにより生成されたC2 Frameの統合の例を示す図である。
【００９８】
図１２の例においては、送信装置１Ａにより生成されたC2 Frameの両端であるキャリア番号Ａ0のData Symbolの位置とキャリア番号Ａ3408のData Symbolの位置にそれぞれEdge Pilotが挿入されている。また、送信装置１Ｂにより生成されたC2 Frameの両端であるキャリア番号Ｂ0のData Symbolの位置とキャリア番号Ｂ3408のData Symbolの位置にそれぞれEdge Pilotが挿入されている。
【００９９】
DVB-C2においては、帯域（C2 System）の端以外でEdge Pilotを挿入することができる位置はNotchの両端のみとされている。すなわち、この場合、送信装置１Ａの出力と送信装置１Ｂの出力の間は、破線の円で示すようにNotchとして扱う必要があり、送信装置１Ａの出力と送信装置１Ｂの出力を周波数上に連続して配置することができない。
【０１００】
そこで、図１３に示すように送信装置１Ａの出力の右端と送信装置１Ｂの出力の左端にEdge Pilotを挿入しないことにより、送信装置１Ａの出力と送信装置１Ｂの出力の間をNotchとして扱う必要がなくなり、それぞれの出力を周波数上に連続して配置することが可能になる。
【０１０１】
図１３の例においては、送信装置１Ａにより生成されたC2 Frameの右端であるキャリア番号Ａ3408のData Symbolの位置にはEdge Pilotが挿入されていない（キャリア番号Ａ3408のデータがない）。このことは、送信装置１Ａの左端EP付加選択部３９からIFFT・GI／パイロット挿入部４１に対して、左端にEdge Pilotを挿入することを表す情報が出力され、右端EP付加選択部４０からIFFT・GI／パイロット挿入部４１に対して、右端にEdge Pilotを挿入しないことを表す情報が出力されることによって実現される。
【０１０２】
また、図１３の例においては、送信装置１Ｂにより生成されたC2 Frameの左端であるキャリア番号Ｂ0のData Symbolの位置には、Edge Pilotの代わりに、通常のデータキャリアが挿入されている。このことは、送信装置１Ｂの左端EP付加選択部３９からIFFT・GI／パイロット挿入部４１に対して、左端にEdge Pilotを挿入しないことを表す情報が出力され、右端EP付加選択部４０からIFFT・GI／パイロット挿入部４１に対して、右端にEdge Pilotを挿入することを表す情報が出力されることによって実現される。
【０１０３】
このように、IFFT・GI／パイロット挿入部４１は、Frameビルダ部３８により生成されたC2 Frameが周波数軸上において他の送信装置により生成されたC2 Frameに隣接する場合、C2 Frameの両端のうちの、他の送信装置により生成されたC2 Frameに隣接する方の端に挿入しないようにして、Edge Pilotの挿入を制御する。IFFT・GI／パイロット挿入部４１は、IFFT等の処理を施したC2 Frameのデータをベースバンド信号として乗算部４２に出力する。
【０１０４】
なお、C2 Frameの一方の端だけでなく、両端にEdge Pilotを挿入しないようにすることも可能である。例えば、送信装置１Ａにより生成されたC2 Frameと、送信装置１Ｂにより生成されたC2 Frameと、送信装置１Ｃにより生成されたC2 Frameとを周波数軸上にその順番で並べてC2 Systemを生成する場合を考える。送信装置１Ｂにより生成されたC2 Frameは、送信装置１Ａと送信装置１Ｃにより生成された双方のC2 Frameに挟まれることになる。
【０１０５】
この場合、C2 Systemの両端となる送信装置１Ａにより生成されたC2 Frameの左端と送信装置１Ｃにより生成されたC2 Frameの右端にのみEdge Pilotが挿入され、他のC2 Frameの端にはEdge Pilotが挿入されない。
【０１０６】
送信装置１Ａにおいては、左端にEdge Pilotを挿入することを表す情報が左端EP付加選択部３９から出力され、右端にEdge Pilotを挿入しないことを表す情報が右端EP付加選択部４０から出力されることになる。また、送信装置１Ｂにおいては、左端にEdge Pilotを挿入しないことを表す情報が左端EP付加選択部３９から出力され、右端にEdge Pilotを挿入しないことを表す情報が右端EP付加選択部４０から出力されることになる。さらに、送信装置１Ｃにおいては、左端にEdge Pilotを挿入しないことを表す情報が左端EP付加選択部３９から出力され、右端にEdge Pilotを挿入することを表す情報が右端EP付加選択部４０から出力されることになる。
【０１０７】
図１１の乗算部４２は、IFFT・GI／パイロット挿入部４１から供給されたベースバンド信号とLocal Oscillator４３から供給された所定の周波数の信号とを乗算することによって周波数変換を行う。乗算部４２は、周波数変換後の信号をDAC(Digital Analog Converter)４４に出力する。
【０１０８】
DAC４４は、乗算部４２から供給された信号のD/A変換を行い、D/A変換によって得られたIF信号を出力端子４５から出力する。出力端子４５から出力されたIF信号は、送信装置１Ｂと送信装置１Ｃの出力端子４５から出力されたIF信号とともに信号処理装置２に供給される。
【０１０９】
＜送信システムの動作＞
次に、図１４のフローチャートを参照して、送信装置１Ａの処理について説明する。ここでは、広帯域送信モードがオンであるものとする。送信装置１Ｂと送信装置１Ｃにおいても同様の処理が行われる。
【０１１０】
ステップＳ１において、L1情報選択部３２は、入力端子３１Ａに入力された信号生成用L1情報と、入力端子３１Ｂに入力された送信用L1情報を取得する。L1情報選択部３２は、信号生成用L1情報をData Slice生成部２１−１乃至２１−ｎ、インタリーブ部２２−１乃至２２−ｎに出力し、送信用L1情報を誤り訂正符号化部３３に出力する。
【０１１１】
ステップＳ２において、Data Slice生成部２１−１乃至２１−ｎは、信号生成用L1情報に含まれるパラメータに従って送信対象のデータの誤り訂正符号化処理、マッピング処理などを行い、Data Slice １乃至ｎを生成する。
【０１１２】
ステップＳ３において、インタリーブ部２２−１乃至２２−ｎは、それぞれ、Data Slice生成部２１−１乃至２１−ｎから供給されたData Sliceのデータに対してインタリーブ（時間インタリーブと周波数インタリーブ）を施す。インタリーブ部２２−１乃至２２−ｎは、インタリーブを施して得られたData SliceのデータをFrameビルダ部３８に出力する。
【０１１３】
ステップＳ４において、誤り訂正符号化部３３は送信用L1情報の誤り訂正符号化処理を行う。また、マッピング部３４は、送信用L1情報の符号化データのマッピング処理を行い、時間インタリーブ部３５は時間インタリーブを行う。L1ブロックビルダ部３６はPreamble SymbolからなるL1 blockを生成し、周波数インタリーブ部３７はPreamble Symbolの周波数インタリーブを行う。
【０１１４】
ステップＳ５において、Frameビルダ部３８は、Data Slice １〜ｎのData Symbolに送信用L1情報を表すPreamble Symbolを付加し、C2 Frameを生成する。
【０１１５】
ステップＳ６において、IFFT・GI／パイロット挿入部４１は、C2 Frameに対してIFFTを施し、ガードインターバルとPilot信号を挿入する。Edge Pilotの挿入は、適宜、上述したようにC2 Frameの両端の少なくとも一方の端に挿入しないように制御される。
【０１１６】
ステップＳ７において、乗算部４２は、IFFT・GI／パイロット挿入部４１により生成されたC2 Frameの信号の周波数変換を行う。
【０１１７】
ステップＳ８において、DAC４４は、周波数変換後のC2 Frameの信号のD/A変換を行う。DAC４４は、D/A変換によって得られたIF信号を出力し、処理を終了させる。
【０１１８】
次に、図１５のフローチャートを参照して、信号処理装置２の処理について説明する。
【０１１９】
ステップＳ２１において、信号処理装置２は、送信装置１Ａ乃至１Ｃから出力されたC2 Frameの信号を取得する。
【０１２０】
ステップＳ２２において、信号処理装置２は、それぞれのC2 Frameの信号を周波数を基準として並べることによって１つのC2 Systemの信号に統合する。統合後のC2 Systemの信号は、信号処理装置２から出力され、受信側の装置に対して送信される。
【０１２１】
＜統合の具体例＞
図１６は、統合後のC2 Systemの例を示す図である。ここでは、送信装置１Ａと送信装置１Ｂの出力を統合する場合について説明する。
【０１２２】
送信装置１Ａと送信装置１Ｂが出力するC2 Frameの信号の帯域幅はいずれも7.61MHzである。統合後のC2 Systemの帯域幅は15.22MHzとなる。送信装置１Ａにより生成されたC2 Frameの信号の開始位置は486.2MHzであり、送信装置１Ｂにより生成されたC2 Frameを含む信号の開始位置は493.8MHzである。送信装置１Ｂにより生成された信号には、開始位置を493.8MHzとし、帯域幅が3.805MHzのNotch（Broadband Notch）が含まれる。送信装置１Ａと送信装置１Ｂにより生成されたC2 Frameはそれぞれ１つのData Sliceから構成されるものとする。
【０１２３】
このようなC2 Systemを生成する場合に送信装置１Ａに入力される信号生成用L1情報、送信装置１Ｂに入力される信号生成用L1情報、および、送信装置１Ａと送信装置１Ｂに入力される送信用L1情報を図１７に示す。
【０１２４】
例えば、図１７の４行目に示すように、C2_BANDWIDTHは、送信装置１Ａに入力される信号生成用L1情報と送信装置１Ｂに入力される信号生成用L1情報においては142dとなり、送信用L1情報においては284dとなる。C2_BANDWIDTHが142dであることは、送信装置１Ａと送信装置１Ｂが出力するC2 Frameの信号の帯域幅が7.61MHz(=142*24/448us)であることを表す。C2_BANDWIDTHが284dであることは、統合後のC2 Systemの帯域幅が15.22MHz(=284*24/448us)であることを表す。
【０１２５】
８行目に示すように、NUM_DSLICEは、送信装置１Ａに入力される信号生成用L1情報と送信装置１Ｂに入力される信号生成用L1情報においては1となり、送信用L1情報においては2となる。NUM_DSLICEが1であることは、送信装置１Ａと送信装置１Ｂが出力するC2 Frameの信号に含まれるData Sliceの数が1個であることを表す。また、NUM_DSLICEが2であることは、統合後のC2 Systemに含まれるData Sliceの数が2個であることを表す。
【０１２６】
９行目に示すように、NUM_NOTCHは、送信装置１Ａに入力される信号生成用L1情報においては0となり、送信装置１Ｂに入力される信号生成用L1情報においては1となる。送信用L1情報においてもNUM_NOTCHは1となる。NUM_NOTCHが0であることは、送信装置１Ａが出力するC2 Frameの信号にNotchが含まれていないことを表す。また、NUM_NOTCHが1であることは、送信装置１Ｂが出力する信号と、統合後のC2 Systemに含まれるNotchの数が1個であることを表す。
【０１２７】
１０行目に示すように、DSLICE_IDは、送信装置１Ａに入力される信号生成用L1情報と送信装置１Ｂに入力される信号生成用L1情報においては0となり、送信用L1情報においては0，1となる。図１７の送信用L1情報の欄において、上下に２段に分けて示すパラメータは、上段のパラメータが送信装置１Ａの出力に関するものであり、下段のパラメータが送信装置１Ｂの出力に関するものであることを表す。
【０１２８】
DSLICE_IDが0，1であることは、統合後のC2 Systemにおいて、送信装置１Ａから出力されたC2 Frameの信号に含まれるData SliceがID_0で識別され、送信装置１Ｂから出力されたC2 Frameの信号に含まれるData SliceがID_1で識別されることを表す。DSLICE_IDは１つのC2_system内でユニークである必要があるから、IDの振り直しが送信用L1情報において行われることになる。
【０１２９】
１１行目に示すように、DSLICE_TUNE_POSは、送信装置１Ａに入力される信号生成用L1情報においては71dとなり、送信装置１Ｂに入力される信号生成用L1情報においては213dとなる。送信用L1情報においては、DSLICE_TUNE_POSは71d,213dとなる。DSLICE_TUNE_POSが71dであることは、ID_0で識別されるData Sliceの中心周波数が490MHz（=(71*24+352E0h)/448us）であることを表す。DSLICE_TUNE_POSが213dであることは、ID_1で識別されるData Sliceの中心周波数が497.6MHz（=(213*24+352E0h)/448us）であることを表す。
【０１３０】
１７行目に示すように、DSLICE_LEFT_NOTCHは、送信装置１Ａに入力される信号生成用L1情報と送信装置１Ｂに入力される信号生成用L1情報においては0となり、送信用L1情報においては0,1となる。DSLICE_LEFT_NOTCHが0であることは、送信装置１Ａが出力するC2 Frameの信号に含まれるData Sliceの左側と送信装置１Ｂが出力する信号に含まれるData Sliceの左側にNotchがないことを表す。また、DSLICE_LEFT_NOTCHが0,1であることは、統合後のC2 Systemにおいて、送信装置１Ａから出力されたC2 Frameの信号に含まれるData Sliceの左側にはNotchがないが、送信装置１Ｂから出力されたC2 Frameの信号に含まれるData Sliceの左側にはNotchがあることを表す。
【０１３１】
３０行目に示すように、NOTCH_STARTは、送信装置１Ａに入力される信号生成用L1情報においては無効データ（-）となり、送信装置１Ｂに入力される信号生成用L1情報においては142dとなる。送信用L1情報においては、NOTCH_STARTは142dとなる。NOTCH_STARTが142dであることは、送信装置１Ｂから出力された信号に含まれるNotchの開始位置が493.8MHz(=(142*24+352E0h+1)/448us)であり、統合後のC2 Systemにおいても、Notchの開始位置が493.8MHzであることを表す。
【０１３２】
３１行目に示すように、NOTCH_WIDTHは、送信装置１Ａに入力される信号生成用L1情報においては無効データとなり、送信装置１Ｂに入力される信号生成用L1情報においては71dとなる。送信用L1情報においては、NOTCH_WIDTHは71dとなる。NOTCH_WIDTHが71dであることは、送信装置１Ｂから出力された信号に含まれるNotchの帯域幅が3.804MHz(=(71*24)/448us、EPを含む場合は3.805MHz)であり、統合後のC2 Systemにおいても、Notchの帯域幅が3.804MHzであることを表す。
【０１３３】
また、３２行目に示すように、送信装置１Ａに入力される信号生成用L1情報のReserve_3の伝送パラメータとして無効データが入力される。Reserve_3が無効データであることは、送信装置１Ａから出力されるC2 Frameの信号にはNotchが含まれていないことを表す。
【０１３４】
図１７に示すようなL1情報が入力された場合、図１６に示すC2 Systemが信号処理装置２から出力される。なお、信号生成用L1情報とは別に、Data Symbolの右端にEdge Pilotを挿入せずに、左端にEdge Pilotを挿入することを指示する情報が送信装置１Ａに入力され、送信装置１Ａの左端EP付加選択部３９、右端EP付加選択部４０によりEdge Pilotの挿入が制御されるようにしてもよい。また、信号生成用L1情報とは別に、Data Symbolの右端と左端にEdge Pilotを挿入することを指示する情報が送信装置１Ｂに入力され、送信装置１Ｂの左端EP付加選択部３９、右端EP付加選択部４０によりEdge Pilotの挿入が制御されるようにしてもよい。
【０１３５】
［第２の実施の形態］
図１８は、送信システムの他の構成例を示すブロック図である。図１８に示す構成のうち、図９に示す構成と同じ構成には同じ符号を付してある。
【０１３６】
図１８の送信システムの構成は、コントローラ１０１が追加して設けられている点で図９の構成と異なる。コントローラ１０１には送信用L1情報が入力される。
【０１３７】
コントローラ１０１は、入力された送信用L1情報に基づいて、送信装置１Ａ用の信号生成用L1情報、送信装置１Ｂ用の信号生成用L1情報、および送信装置１Ｃ用の信号生成用L1情報をそれぞれ生成する。コントローラ１０１は、送信用L1情報を送信装置１Ａ乃至１Ｃにそれぞれ出力する。また、コントローラ１０１は、送信装置１Ａ用の信号生成用L1情報を送信装置１Ａに出力し、送信装置１Ｂ用の信号生成用L1情報を送信装置１Ｂに出力し、送信装置１Ｃ用の信号生成用L1情報を送信装置１Ｃに出力する。
【０１３８】
すなわち、図１８の送信システムにおいては、送信装置１Ａ乃至１Ｃに対する信号生成用L1情報を管理者が直接入力するのではなく、送信用L1情報に基づいてコントローラ１０１が生成し、コントローラ１０１が入力するようになされている。例えば、図１６に示すC2 Systemを生成する場合、図１７の送信用L1情報に基づいて送信装置１Ａ用の信号生成用L1情報と送信装置１Ｂ用の信号生成用L1情報がコントローラ１０１により生成され、送信装置１Ａと送信装置１Ｂに入力されることになる。
【０１３９】
送信装置１Ａは、送信対象として入力されたデータに対して、コントローラ１０１から供給された信号生成用L1情報に基づいて処理を施し、送信対象のデータを表すData Symbolを生成する。また、送信装置１Ａは、コントローラ１０１から供給された送信用L1情報を表すPreamble Symbolを生成する。送信装置１Ａは、生成した送信対象のデータを表すData Symbolと送信用のL1情報を表すPreamble Symbolとを合わせてC2 Frameを生成し、C2 Frameの信号を信号処理装置２に出力する。
【０１４０】
同様に、送信装置１Ｂは、送信対象として入力されたデータに対して、コントローラ１０１から供給された信号生成用のL1情報に基づいて処理を施し、送信対象のデータを表すData Symbolを生成する。また、送信装置１Ｂは、コントローラ１０１から供給された送信用L1情報を表すPreamble Symbolを生成する。送信装置１Ｂは、生成した送信対象のデータを表すData Symbolと送信用のL1情報を表すPreamble Symbolとを合わせてC2 Frameを生成し、C2 Frameの信号を信号処理装置２に出力する。
【０１４１】
送信装置１Ｃは、送信対象として入力されたデータに対して、コントローラ１０１から供給された信号生成用のL1情報に基づいて処理を施し、送信対象のデータを表すData Symbolを生成する。また、送信装置１Ｃは、コントローラ１０１から供給された送信用L1情報を表すPreamble Symbolを生成する。送信装置１Ｃは、生成した送信対象のデータを表すData Symbolと送信用のL1情報を表すPreamble Symbolとを合わせてC2 Frameを生成し、C2 Frameの信号を信号処理装置２に出力する。
【０１４２】
信号処理装置２は、図９の信号処理装置２と同様に、送信装置１Ａ乃至１Ｃから供給されたC2 Frameの信号を周波数を基準として並べることによって１つのC2 Systemの信号に統合し、出力する。
【０１４３】
これにより、送信システムの管理者は、送信装置毎に信号生成用L1情報を入力する必要がなく、最終的に生成したいC2 Systemの構成を想定してL1情報（送信用L1情報）を入力するだけでその通りの信号を生成させることが可能になる。コントローラ１０１はコンピュータにより構成され、例えば、コンピュータに設けられる操作部が管理者により操作されることによって送信用L1情報が入力される。
【０１４４】
［変形例］
＜第１の変形例＞
図１９は、送信システムのさらに他の構成例を示すブロック図である。図１９に示す構成のうち、図１８に示す構成と同じ構成には同じ符号を付してある。重複する説明については適宜省略する。
【０１４５】
図１９の送信システムにおいては、送信装置１Ａ乃至１Ｃが共通のクロック信号であるリファレンスクロックに従って動作し、共通の同期信号であるフレーム同期信号に従ってC2 Frameの信号を出力するようになされている。
【０１４６】
このように、共通のクロック信号と同期信号を用いて送信装置１Ａ乃至１Ｃの同期（周波数同期と時間同期）をとることにより、受信側の装置は、異なる送信装置の出力に跨った形でReceiver Tuning Window（図３）を設定し、信号を受信することが可能になる。また、送信システム側において、図１３等を参照して説明したようにしてC2 Frameの端にEdge Pilotを挿入しないようにすることが可能になる。
【０１４７】
図１９の送信装置１Ａは、マスターの送信装置として機能し、リファレンスクロックとフレーム同期信号を生成して出力する。送信装置１Ａから出力されたリファレンスクロックとフレーム同期信号は送信装置１Ｂと送信装置１Ｃに入力される。また、送信装置１Ａから出力されたリファレンスクロックはPLL(Phase Lock Loop)１１１にも入力される。
【０１４８】
PLL１１１は、送信装置１Ａから供給されたリファレンスクロックに基づいて周波数f1,f2,f3のそれぞれのクロック信号を生成する。PLL１１１により生成された周波数f1のクロック信号はLocal Oscillator１１３Ａに供給され、周波数f2のクロック信号はLocal Oscillator１１３Ｂに供給される。また、周波数f3のクロック信号はLocal Oscillator１１３Ｃに供給される。
【０１４９】
乗算部１１２Ａは、送信装置１Ａにより生成されたC2 FrameのIF信号とLocal Oscillator１１３Ａから供給された周波数f1の信号とを乗算することによって周波数変換を行い、周波数変換後の信号を信号処理装置２に出力する。
【０１５０】
乗算部１１２Ｂは、送信装置１Ｂにより生成されたC2 FrameのIF信号とLocal Oscillator１１３Ｂから供給された周波数f2の信号とを乗算することによって周波数変換を行い、周波数変換後の信号を信号処理装置２に出力する。
【０１５１】
乗算部１１２Ｃは、送信装置１Ｃにより生成されたC2 FrameのIF信号とLocal Oscillator１１３Ｃから供給された周波数f3の信号とを乗算することによって周波数変換を行い、周波数変換後の信号を信号処理装置２に出力する。
【０１５２】
図２０は、図１９の送信装置１Ａの構成例を示す図である。図２０に示す構成と同じ構成が図１９の送信装置１Ｂと送信装置１Ｃにも設けられる。図２０に示す構成のうち、図１１に示す構成と同じ構成には同じ符号を付してある。重複する説明については適宜省略する。
【０１５３】
図２０に示す信号処理部１１の構成は、フレーム同期信号生成部１３２が追加して設けられる点で図１１の構成と異なる。また、図２０の例においては、信号処理部１１の外部に、クロック生成部１２２、クロック選択部１２３、およびフレーム同期信号選択部１３３が設けられる。管理者による操作に従って、外部クロック入力のオン／オフを表す情報がクロック選択部１２３に入力され、外部フレーム同期信号入力のオン／オフを表す情報がフレーム同期信号選択部１３３に入力される。
【０１５４】
外部クロック入力のオンは、外部から入力されたクロック信号に従って動作を行うときに選択される。一方、外部クロック入力のオフは、内部で生成したクロック信号に従って動作を行うとともに、そのクロック信号をリファレンスクロックとして外部に出力するときに選択される。図１９の例の場合、マスターとして機能する送信装置１Ａにおいては外部クロック入力がオフとされ、送信装置１Ｂと送信装置１Ｃにおいては外部クロック入力がオンとされる。
【０１５５】
外部フレーム同期信号入力のオンは、外部から入力されたフレーム同期信号に従ってC2 Frameの信号を出力するときに選択される。一方、外部フレーム同期信号入力のオフは、内部で生成したフレーム同期信号に従ってC2 Frameの信号を出力するとともに、そのフレーム同期信号を外部に出力するときに選択される。図１９の例の場合、マスターとして機能する送信装置１Ａにおいては外部フレーム同期信号入力がオフとされ、送信装置１Ｂと送信装置１Ｃにおいては外部フレーム同期信号入力がオンとされる。
【０１５６】
クロック生成部１２２は、所定の周波数のクロック信号を生成し、クロック選択部１２３に出力する。
【０１５７】
クロック選択部１２３は、外部クロック入力がオンである場合、外部クロック入力端子１２１に入力されたリファレンスクロックを選択し、出力する。クロック選択部１２３により選択されたリファレンスクロックは信号処理部１１に供給されるとともに、リファレンスクロック出力端子１２４から他の送信装置（マスターとして機能していない送信装置）に供給される。信号処理部１１の各部の動作のタイミングは、クロック選択部１２３から供給されたリファレンスクロックに従って制御される。
【０１５８】
また、クロック選択部１２３は、外部クロック入力がオフである場合、クロック生成部１２２により生成されたクロック信号を選択し、出力する。クロック選択部１２３により選択されたクロック信号は信号処理部１１に供給されるとともに、リファレンスクロックとして、リファレンスクロック出力端子１２４から他の送信装置に供給される。信号処理部１１の各部の動作のタイミングは、クロック選択部１２３から供給されたクロック信号に従って制御される。
【０１５９】
信号処理部１１のフレーム同期信号生成部１３２は、例えばL1ブロックビルダ部３６の動作を監視し、L1ブロックビルダ部３６がL1 blockを出力するタイミングを検出する。フレーム同期信号生成部１３２は、L1ブロックビルダ部３６がL1 blockを出力したタイミングを表す同期信号を生成し、フレーム同期信号としてフレーム同期信号選択部１３３に出力する。
【０１６０】
フレーム同期信号選択部１３３は、外部フレーム同期信号入力がオンである場合、外部フレーム同期信号入力端子１３１に入力されたフレーム同期信号を選択し、出力する。フレーム同期信号選択部１３３により選択されたフレーム同期信号はFrameビルダ部３８に供給されるとともに、フレーム同期信号出力端子１３４から他の送信装置（マスターとして機能していない送信装置）に供給される。
【０１６１】
また、フレーム同期信号選択部１３３は、外部フレーム同期信号入力がオフである場合、フレーム同期信号生成部１３２により生成されたフレーム同期信号を選択し、出力する。フレーム同期信号選択部１３３により選択されたフレーム同期信号はFrameビルダ部３８に供給されるとともに、フレーム同期信号出力端子１３４から他の送信装置に供給される。Frameビルダ部３８がC2 Frameを出力するタイミングは、フレーム同期信号選択部１３３から供給されたフレーム同期信号に従って制御される。
【０１６２】
以上のようにして送信装置１Ａ乃至１Ｃ間の同期をとることは、図１８の送信システムだけでなく、図９の送信システムに適用することも可能である。
【０１６３】
＜他の変形例＞
以上においては、各送信装置の出力を周波数軸上に隣接するように並べることによってC2 Frameの信号の統合が行われるものとしたが、周波数間隔を離して統合するようにしてもよい。この場合、各送信装置から出力されたC2 Frameの信号の間の無信号となる区間にはNotchがあるものとして扱われ、そのNotchに関するパラメータが送信用L1情報に記述される。各送信装置の出力が重複あるいは近接する場合、相互に干渉する恐れがあるが、周波数間隔を離して統合することにより、そのような恐れをなくすことが可能になる。
【０１６４】
上述した一連の処理は、ハードウェアにより実行することもできるし、ソフトウェアにより実行することもできる。一連の処理をソフトウェアにより実行する場合には、そのソフトウェアを構成するプログラムが、専用のハードウェアに組み込まれているコンピュータ、または汎用のパーソナルコンピュータなどに、プログラム記録媒体からインストールされる。
【０１６５】
図２１は、上述した一連の処理をプログラムにより実行するコンピュータのハードウェアの構成例を示すブロック図である。
【０１６６】
CPU(Central Processing Unit)２０１、ROM(Read Only Memory)２０２、RAM(Random Access Memory)２０３は、バス２０４により相互に接続されている。
【０１６７】
バス２０４には、さらに、入出力インタフェース２０５が接続されている。入出力インタフェース２０５には、キーボード、マウスなどよりなる入力部２０６、ディスプレイ、スピーカなどよりなる出力部２０７が接続される。また、入出力インタフェース２０５には、ハードディスクや不揮発性のメモリなどよりなる記憶部２０８、ネットワークインタフェースなどよりなる通信部２０９、リムーバブルメディア２１１を駆動するドライブ２１０が接続される。
【０１６８】
以上のように構成されるコンピュータでは、CPU２０１が、例えば、記憶部２０８に記憶されているプログラムを入出力インタフェース２０５及びバス２０４を介してRAM２０３にロードして実行することにより、上述した一連の処理が行われる。
【０１６９】
CPU２０１が実行するプログラムは、例えばリムーバブルメディア２１１に記録して、あるいは、ローカルエリアネットワーク、インターネット、デジタル放送といった、有線または無線の伝送媒体を介して提供され、記憶部２０８にインストールされる。
【０１７０】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１７１】
本技術の実施の形態は、上述した実施の形態に限定されるものではなく、本技術の要旨を逸脱しない範囲において種々の変更が可能である。
【符号の説明】
【０１８５】
１Ａ乃至１Ｃ  送信装置，  ２  信号処理装置，  １０１  コントローラ
【図１】
0005703839.tif 000002
【図２】
0005703839.tif 000003
【図３】
0005703839.tif 000004
【図４】
0005703839.tif 000005
【図５】
0005703839.tif 000006
【図６】
0005703839.tif 000007
【図７】
0005703839.tif 000008
【図８】
0005703839.tif 000009
【図９】
0005703839.tif 000010
【図１０】
0005703839.tif 000011
【図１１】
0005703839.tif 000012
【図１２】
0005703839.tif 000013
【図１３】
0005703839.tif 000014
【図１４】
0005703839.tif 000015
【図１５】
0005703839.tif 000016
【図１６】
0005703839.tif 000017
【図１７】
0005703839.tif 000018
【図１８】
0005703839.tif 000019
【図１９】
0005703839.tif 000020
【図２０】
0005703839.tif 000021
【図２１】
0005703839.tif 000022